(57)【要約】【課題】本考案は、指輪本体に加工を施すことなく様々なサイズの指輪に適用することができ、且つ指輪の外観を損なわないで指輪の回転を防止する指輪の回転防止ストッパーを提供することを課題とする。【解決手段】本考案の回転防止ストッパー１は、全体が細長い形状を成した支持部材２と、支持部材２に設けられ、指輪Ｒのリング部Ｒ１を内周面から覆うようにしてリング部Ｒ１を挟み込む狭持部３とを備えている。【選択図】図５
0003127009.tif 000002
【実用新案登録請求の範囲】
【請求項１】
手指の間を通過しない大きさの細長い部材であって、手指への指輪の装着時に手指の内側に接触して前記指輪の回転を阻止する指輪支持部材を前記指輪の一部に固定する固定手段を設けたことを特徴とする指輪の回転防止ストッパー。
【請求項２】
前記固定手段は、前記指輪のリング部を狭持し、前記指輪に着脱自在に係止されることを特徴とする請求項１に記載の回転防止ストッパー。
【請求項３】
前記固定手段は、前記指輪支持部材の長手方向に沿って設けられ、前記指輪支持部材と交差していることを特徴とする請求項１又は２に記載の指輪の回転防止ストッパー。
【請求項４】
前記固定手段は、帯状の部材を半分に折り、一端が袋状を成し、他端が開口を成しており、
前記開口から前記指輪のリング部を挿入することを特徴とする請求項１〜３の何れかに記載の指輪の回転防止ストッパー。
【請求項５】
前記固定手段は、弾性部材により形成されていることを特徴とする請求項１〜４の何れかに記載の指輪の回転防止ストッパー。
【請求項６】
前記指輪支持部材を収容する凹部が形成された台座を更に有することを特徴とする請求項１〜５の何れかに記載の指輪の回転防止ストッパー。
【考案の詳細な説明】
【技術分野】
【０００１】
本考案は、指に挿着した指輪が回転することを防止するストッパーに関する。
【背景技術】
【０００２】
一般に、指輪のサイズは、指の部位で最も太い関節部分の太さで決定される。そのため、間接を通過した指輪が、間接部分よりも細くなっている指の付け根に装着されると、間接部分の太さに合わせた指輪の内径は、指の付け根部分には大きいものとなり、指輪が指の回りで回転したり、指輪の装着位置がずれたりするなどの不具合があった。
【０００３】
特に、指輪の中央に宝石等の装飾物を配置した指輪は、装飾物の重みで指輪が指の回りを回転し易く、それにより装飾物の位置が指の中央からずれてしまうことが多かった。
【０００４】
そこで、従来から、指輪の回転を防止するための様々な止め具が提案されている。
【０００５】
例えば、特許文献１に開示されている、指輪の幅よりも狭い短方向と適宜の長さを有する湾曲形状の樹脂製又は金属製薄板に開口部と１個の突起物及び突起物に備えられた切り欠き部とで構成された指輪の回り止め具がある。この止め具を指輪の内周面に接着剤を用いて取り付ける。
【０００６】
この止め具により、指輪と指との間にできる隙間を小さくすることができるため、指に装着した指輪を回転し難くすることができる。
【０００７】
また、特許文献２に開示されている、指輪止め具は、指輪の側面側から着脱自在に嵌合される略Ｕ字状の指輪止め本体と、指輪止め本体に設けられ指輪の指装着面を挟めるための指止め部とを有している。指輪止め本体は、そのＵ字状に開口した部分から指輪の側部が挿入され、その断面がＣ字溝状や枠溝状に形成された部分で指輪を両側から所定の鋏圧力で挟み込んで指輪に保持される。この指輪止め具が指に挿入されている指輪に装着されたときには、指輪止め具の基端側に波形状に形成された指止め部によって、指が装着された指輪の装着面が狭められる。これによって指輪が指を軸として回転したり、軸方向にずれて移動したりするのを抑制することができる。
【特許文献１】特開平９−２９９１１４号公報
【特許文献２】特開２００５−２２４４７８号公報
【考案の開示】
【考案が解決しようとする課題】
【０００８】
しかしながら、特許文献１に記載の指輪の回り止め具は、指輪本体の内周面に接着剤を用いて取り付けるため、止め具が不要となったときに取り外すことが困難となってしまう。
【０００９】
また、特許文献１に記載の指輪の回り止め具は、突起部の高さを低くすることはできるが高くすることはできない。そのため、どんなサイズの指輪にも適用できるとは限らない。
【００１０】
さらに、特許文献２に記載の指輪止め具は指輪の外側に取り付けるため、指輪のデザインや外観を損ねてしまう虞があった。
【００１１】
加えて、特許文献１、２に記載の止め具では、指輪のサイズが手指の太さよりも遙かに
大きいものの場合は、止め具を取り付けた状態で指輪が回転してしまうことが想定される。
【００１２】
そこで、本考案は、指輪本体に加工を施すことなく様々なサイズの指輪に適用することができ、且つ指輪の外観を損なわないで指輪の回転を防止する指輪の回転防止ストッパーを提供することを課題とする。
【課題を解決するための手段】
【００１３】
本考案は、上記事項に鑑みてなされたものであり、本考案は、手指の間を通過しない大きさの細長い部材であって、手指への指輪の装着時に手指の内側に接触して前記指輪の回転を阻止する指輪支持部材を前記指輪の一部に固定する固定手段を設けたことを特徴とする。
【００１４】
本考案に係る指輪支持部材は、細長い部材であればよいため、板材や棒状の部材とすることができ、その長さは、固定手段を指輪に固定した状態で指輪を手指に嵌めたときに、手指の間を通過しない長さであればよい。
【００１５】
このように、固定手段により指輪と回転防止ストッパーとが固定され、且つ指輪支持部材が装着時に手指の間を通過しない長さを有していることにより、手指に嵌めた指輪が回転しようとすると、指輪支持部材が手指に当接しその回転を防止することができる。つまり、本考案の回転防止ストッパーによれば、従来の止め具のように、止め具を指輪に取り付けた状態で指輪が回転してしまうことがなくなり、確実に指輪の回転を防止することができる。
【００１６】
また、本考案に係る固定手段は、指輪のリング部を狭持し、指輪に着脱自在に係止されると好ましい。固定手段は、リング部を内周面側から挟み込むようにして狭持する。この状態で使用者は指に通常通り指輪を嵌める。すると、リング部内に指が挿通されることにより、固定手段は指輪支持部材側に向かって押圧され、リング部が固定される。
【００１７】
さらに、本考案に係る固定手段は指輪に対して着脱自在であるため、指輪自体の外観や価値を低下させることはない。
【００１８】
また、本考案に係る固定手段は、指輪支持部材の長手方向に沿って設けられ、指輪支持部材と交差する構成とすると好ましい。例えば、指輪支持部材の長手側に設けられた固定手段が指輪支持部材側に折れ曲がり、固定手段の端部に屈曲部が形成されたものや、指輪支持部材の両長手方向から中央に向かって延出したもの等を挙げることができる。
【００１９】
そして、指輪支持部材と固定手段との間に指輪のリング部を挟み込んだ状態で指輪を手指に嵌めると、リング部内の固定手段は手指により指輪支持部材側に押されて、固定手段と指輪支持部材とによりリング部が押さえつけられる。これにより、指輪（リング部）と回転防止ストッパーとは固定されるため、指輪だけが回転してしまうことを防止することができる。
【００２０】
さらに、本考案に係る固定手段は、帯状の部材を半分に折り、一端が袋状を成し、他端が開口を成す構成とすると好ましい。この場合の固定手段は、指輪支持部材とは別の部材により形成されているものとする。この場合、開口から指輪のリング部を挿入すると、袋状となっている部分がガードとなりリング部（指輪）は脱落する落ちることはない。
【００２１】
さらに、本考案に係る固定手段は、弾性部材により形成されていると好ましい。弾性部材としては、軟質プラスチックを好適に用いることができる。固定手段が弾性部材により
形成されていることにより、例えば、固定手段が上記のように帯状の部材を半分に折り曲げて構成されている場合、リング部の厚みに応じて固定手段の折り曲げ角度を変化させることができる。つまり、固定手段に弾性部材を用いることで様々な厚みのリング部に適用することができ汎用性を高めることができる。尚、指輪支持部材も同様の部材としても良い。指輪支持部材を軟質プラスチックとすることにより、使用者の手指の大きさに合わせて指輪支持部材を切断し長さを調節することができる。
【００２２】
加えて、本考案に係る固定手段（指輪支持部材）に軟質プラスチックを用いることにより、固定手段を指輪のリング部に着脱する際に、リング部に傷をつける虞を極めて低くすることができる。
【００２３】
さらに、本考案の回転防止ストッパーは、指輪支持部材を収容する凹部が形成された台座を更に有することができる。凹部は、指輪支持部材を嵌め込み可能な大きさ及び形状を成している。この凹部に、固定手段が指輪を固定した状態で指輪支持部材を嵌め込むようにして収容すると、台座が指輪置きの役割を果たす。
【００２４】
これにより、使用者は指輪を手指に嵌める度に回転防止ストッパーを指輪に取り付ける手間を省くことができ、使用性を高めることができる。
【考案の効果】
【００２５】
本考案によれば、指輪本体に加工を施すことなく様々なサイズの指輪に適用することができ、且つ指輪の外観を損なわないで指輪の回転を防止する指輪の回転防止ストッパーを提供することが可能となる。
【考案を実施するための最良の形態】
【００２６】
以下、本実施形態の指輪の回転を防止する回転防止ストッパーについて図を参照し説明する。
図１に示すように、本実施形態の回転防止ストッパー１は、全体が細長い形状を成した支持部材（指輪支持部材）２と、支持部材２の長手側の端部に設けられ、指輪Ｒのリング部Ｒ１を内周面側から覆うようにしてリング部Ｒ１を挟み込んで指輪Ｒを固定する狭持部（固定手段）３とを備えている。
【００２７】
本実施形態の支持部材２は楕円形状の薄板であり、軟質プラスチックにて形成されている。支持部材２は、手指に指輪を装着した際に、手指の内側（掌側）に接触し、且つ手指の間を通過しない大きさ（長さ）を有している。尚、本実施形態では、図２、３に示すように、支持部材２は、長さＬ＝３．０ｃｍ，幅Ｗ＝１ｃｍ，厚みＨ＝１ｍｍに形成されているものとする。
【００２８】
また、本実施形態の支持部材２は軟質プラスチック（弾性樹脂）により形成されているため、支持部材２の長さＬは、使用者の手の大きさや使用態様等に応じて切断するなどして調節することができる。
【００２９】
また、狭持部３は、帯状の部材を半分に折り、一端が袋状となった屈曲部３ａとなり、他端が開口部３ｂとなった単体の部材であり、開口部３ｂが上となるように狭持部３を支持部材２に垂直となるように交差して配されている。狭持部３は、幅ｗ＝４ｍｍ，長さｌは指示部材の幅Ｗよりも大きく形成されている。
【００３０】
さらに、本実施形態の狭持部３は軟質プラスチックにて形成されている。そのため、図４に示すように、帯状の部材を半分に折ると、軟質プラスチックの弾性力により、開口部３ｂの二つの端部が離間した状態で静止する。離間した両端部を近づける方向に力を加え
ると、その力に応じて両端部は近づくが、力を除くと弾性力により元の位置（両端が離間した状態）に戻る。これにより、狭持部３が挟み込むリング部Ｒ１の様々な厚みに対応することができる。
以上が、本実施形態の回転防止ストッパー１の構成である。
【００３１】
図５に示すように、回転防止ストッパー１の狭持部３の開口部３ｂから屈曲部３ａに向かって指輪のリング部Ｒ１を差し込む。尚、回転防止ストッパー１をリング部Ｒ１に取り付ける際には、支持部材２がリング部Ｒ１の外側面側に位置し、狭持部３をリング部Ｒ１の内周面側に位置するようにする。
【００３２】
このように回転防止ストッパー１を指輪Ｒのリング部Ｒ１に取り付けた状態で、使用者はリング部Ｒ１内に指を挿入し指輪Ｒを装着する。このように、回転防止ストッパー１を装着した指輪Ｒを手指に嵌めると、リング部Ｒ１内の手指により狭持部３が支持部材２側に押されるため、狭持部３の折りたたまれた帯状の部材によりリング部Ｒ１が挟まれた状態となる。このようにして指輪Ｒと回転防止ストッパー１とが固定される。
【００３３】
そして、図６に示すように、支持部材２を掌側に位置させて指に装着すると、支持部材２が隣の指に当接するため、指輪Ｒが掌側に回転することを支持部材２により阻止することができる。
【００３４】
さらに、本実施形態の回転防止ストッパー１は、狭持部３により、リング部Ｒ１の掌側の一部を狭持して指輪Ｒに取り付けられるため、指輪の外観はそのままに維持しつつ指輪の回転を防止することができる。
【００３５】
さらに、本実施形態の回転防止ストッパー１は、全てが軟質プラスチックにより形成されているため、指輪に回転防止ストッパー１を取り付ける際に指輪のリング部に傷を付けることを極力防ぐことができる。
【００３６】
また、本実施形態の回転防止ストッパー１は、図７に示すような、支持部材２と同形状の凹部４を上面に設けた基台（台座）５を更に有している。凹部４は、支持部材２を嵌合可能な大きさ及び形状を成している。
【００３７】
この凹部４に、狭持部３がリング部Ｒ１を狭持した状態で支持部材２を嵌め込むようにして収容すると、基台５が指輪置きとなる。
【００３８】
このように、基台５を有することで、使用者は指輪を外す時に回転防止ストッパー１を外す必要がないため、次に指輪を嵌めるときも回転防止ストッパー１が装着された状態で指輪を嵌めることができる。これにより、回転防止ストッパー１の着脱に伴う煩わしさを無くすことができる。
【００３９】
さらに、図７に示すような基台５があれば、回転防止ストッパー１は、指輪の回転を防止するストッパーだけでなく、指輪をショーケース内に陳列する際の陳列補助具としても用いることができる。
【００４０】
尚、本考案の回転防止ストッパーは、上述の図示例にのみ限定されるものではなく、本考案の要旨を逸脱しない範囲内において種々変更を加え得ることは勿論である。
【図面の簡単な説明】
【００４１】
【図１】本実施形態の回転防止ストッパーの斜視図である。
【図２】本実施形態の回転防止ストッパーの正面図である。
【図３】本実施形態の回転防止ストッパーを支持部材側からみた図である。
【図４】本実施形態の回転防止ストッパーの側面図である。
【図５】本実施形態の回転防止ストッパーの指輪への取り付け状態を示した図である。
【図６】本実施形態の回転防止ストッパーを取り付けた指輪を使用者の指に装着した状態を示す図である。
【図７】本実施形態に係る基台に指輪に取り付けた回転防止ストッパーを載置した状態を示す図である。
【符号の説明】
【００４２】
１  回転防止ストッパー
２  支持部材（指輪支持部材）
３  狭持部（固定手段）
３ａ  屈曲部
３ｂ  開口部
４  凹部
５  基台（台座）
Ｒ  指輪
Ｒ１  リング部
【図１】
0003127009.tif 000003
【図２】
0003127009.tif 000004
【図３】
0003127009.tif 000005
【図４】
0003127009.tif 000006
【図５】
0003127009.tif 000007
【図６】
0003127009.tif 000008
【図７】
0003127009.tif 000009